(57)【特許請求の範囲】
【請求項１】
端面に光出射部を有する透明基板と、
第１透明電極、第１反射電極、およびこれらの間に設けられた第１発光層を含み、前記第１透明電極が前記透明基板の側に位置するように前記透明基板上に設けられた第１発光体と、
前記透明基板の前記第１発光体が設けられている側とは反対側に設けられ、前記第１発光体から前記透明基板に入射した光を反射させることによりその光を前記透明基板の前記光出射部から出射させる反射部材と、
表面上に電極部材を含む回路基板と、
を備え、
前記第１透明電極は、前記光出射部が延びている方向と略平行な方向に沿って延びる第１給電部を含み、
前記第１透明電極への給電は、前記第１給電部に電気的に接続され前記第１透明電極よりも高い導電性を有する前記電極部材から前記第１給電部を通して行われる、
発光装置。
【請求項２】
端面に光出射部を有する透明基板と、
第１透明電極、第１反射電極、およびこれらの間に設けられた第１発光層を含み、前記第１透明電極が前記透明基板の側に位置するように前記透明基板上に設けられた第１発光体と、
前記透明基板の前記第１発光体が設けられている側とは反対側に設けられ、前記第１発光体から前記透明基板に入射した光を反射させることによりその光を前記透明基板の前記光出射部から出射させる反射部材と、
を備え、
前記第１透明電極は、前記光出射部が延びている方向と略平行な方向に沿って延びる第１給電部を含み、
表面上に電極部材を含む回路基板と、
前記第１給電部と前記電極部材との間に設けられた補助電極部材と、をさらに備え、
前記第１透明電極への給電は、前記第１給電部に電気的に接続され前記第１透明電極よりも高い導電性を有する前記補助電極部材から前記第１給電部を通して行われる、
発光装置。
【請求項３】
前記第１給電部は、前記光出射部が延びている方向に対して略平行な方向において前記光出射部と略等しい長さを有している、
請求項１または２に記載の発光装置。
【請求項４】
前記電極部材は、前記光出射部が延びている方向に対して略平行な方向において、前記第１給電部の略全長に亘って給電可能に接続されている、
請求項１に記載の発光装置。
【請求項５】
前記補助電極部材は、前記光出射部が延びている方向に対して略平行な方向において、前記第１給電部の略全長に亘って給電可能に接続されている、
請求項２に記載の発光装置。
【請求項６】
前記透明基板は、前記光出射部が形成される前記端面とは反対側の端面に、他の光出射部をさらに有し、
前記反射部材は、前記第１発光体から前記透明基板に入射した光を反射させることによりその光を前記光出射部および前記他の光出射部から出射させる、
請求項１から５のいずれか１項に記載の発光装置。
【請求項７】
前記透明基板の前記第１発光体が設けられている側とは反対側に設けられた第２発光体をさらに備え、
前記第２発光体は、第２透明電極、第２反射電極、およびこれらの間に設けられた第２発光層を含み、前記第２透明電極が前記透明基板の側に位置するように設けられており、
前記反射部材は、前記第２発光体の前記第２反射電極である、
請求項１から６のいずれか１項に記載の発光装置。
【請求項８】
前記第１発光層を中心として見た場合、前記第１給電部は、前記光出射部が形成される前記端面の位置とは反対側に位置している、
請求項１から７のいずれか１項に記載の発光装置。
【請求項９】
前記第１反射電極は、前記光出射部が延びている方向と略平行な方向に沿って延びる他の給電部を含み、
前記第１反射電極への給電は、前記他の給電部に電気的に接続され前記第１透明電極よりも高い導電性を有する他の給電部材から前記他の給電部を通して行われる、
請求項１から８のいずれか１項に記載の発光装置。
【請求項１０】
前記第２透明電極は、前記光出射部が延びている方向と略平行な方向に沿って延びる第２給電部を含み、
前記第２透明電極への給電は、前記第２給電部に電気的に接続され前記第２透明電極よりも高い導電性を有するさらに他の給電部材から前記第２給電部を通して行われる、
請求項７に記載の発光装置。
【請求項１１】
前記透明基板は、透明基材と前記透明基材に密着するように配置された導光部材とを含む、
請求項１から１０のいずれか１項に記載の発光装置。
【発明の詳細な説明】
【技術分野】
【０００１】
本発明は、端面が発光する発光装置に関する。
【背景技術】
【０００２】
特開２００７−３２４０６２号公報（特許文献１）に開示されているように、端面が発光する発光装置が知られている。この公報に開示された発光装置は、透明基板上に一対の電極を有しており、一対の電極間には発光層が設けられている。基板上の電極が設けられていない領域は、反射層によって被覆されている。基板の端面の一部は、光出射部として露出している。発光層で生成された光は、反射層の反射によって、基板の端面（光出射部）から取り出される。このような発光装置によれば、たとえば線状の細い発光を実現できる。
【先行技術文献】
【特許文献】
【０００３】
【特許文献１】特開２００７−３２４０６２号公報
【発明の概要】
【発明が解決しようとする課題】
【０００４】
本発明は、端面から取り出された光に輝度むらが発生することを抑制可能な発光装置を提供することを目的とする。
【課題を解決するための手段】
【０００５】
本発明の一側面に従う発光装置は、端面に光出射部を有する透明基板と、第１透明電極、第１反射電極、およびこれらの間に設けられた第１発光層を含み、上記第１透明電極が上記透明基板の側に位置するように上記透明基板上に設けられた第１発光体と、上記透明基板の上記第１発光体が設けられている側とは反対側に設けられ、上記第１発光体から上記透明基板に入射した光を反射させることによりその光を上記透明基板の上記光出射部から出射させる反射部材と、表面上に電極部材を含む回路基板と、を備え、上記第１透明電極は、上記光出射部が延びている方向と略平行な方向に沿って延びる第１給電部を含み、上記第１透明電極への給電は、上記第１給電部に電気的に接続され上記第１透明電極よりも高い導電性を有する上記電極部材から上記第１給電部を通して行われる。
本発明の他側面に従う発光装置は、端面に光出射部を有する透明基板と、第１透明電極、第１反射電極、およびこれらの間に設けられた第１発光層を含み、上記第１透明電極が上記透明基板の側に位置するように上記透明基板上に設けられた第１発光体と、上記透明基板の上記第１発光体が設けられている側とは反対側に設けられ、上記第１発光体から上記透明基板に入射した光を反射させることによりその光を上記透明基板の上記光出射部から出射させる反射部材と、備え、上記第１透明電極は、上記光出射部が延びている方向と略平行な方向に沿って延びる第１給電部を含み、表面上に電極部材を含む回路基板と、上記第１給電部と上記電極部材との間に設けられた補助電極部材と、をさらに備え、上記第１透明電極への給電は、上記第１給電部に電気的に接続され上記第１透明電極よりも高い導電性を有する上記補助電極部材から上記第１給電部を通して行われる。
【図面の簡単な説明】
【０００６】
【図１】実施の形態１における発光装置を示す平面図である。
【図２】図１中のＩＩ−ＩＩ線に沿った矢視断面図である。
【図３】実施の形態１における発光装置の給電部（第１給電部）およびその周辺構造を示す平面図である。
【図４】比較例における発光装置を示す平面図である。
【図５】実施の形態２における発光装置を示す平面図である。
【図６】図５中のＶＩ−ＶＩ線に沿った矢視断面図である。
【図７】実施の形態３における発光装置を示す断面図である。
【図８】実施の形態４における発光装置を示す平面図である。
【図９】図８中のＩＸ−ＩＸ線に沿った矢視断面図である。
【図１０】実施の形態５における発光装置を示す平面図である。
【図１１】図１０中のＸＩ−ＸＩ線に沿った矢視断面図である。
【図１２】実施の形態６における発光装置を示す平面図である。
【図１３】図１２中のＸＩＩＩ−ＸＩＩＩ線に沿った矢視断面図である。
【図１４】実施の形態７における発光装置を示す平面図である。
【図１５】図１４中のＸＶ−ＸＶ線に沿った矢視断面図である。
【図１６】実施の形態８における発光装置を示す断面図である。
【発明を実施するための形態】
【０００７】
本発明に基づいた各実施の形態について、以下、図面を参照しながら説明する。各実施の形態の説明において、個数および量などに言及する場合、特に記載がある場合を除き、本発明の範囲は必ずしもその個数およびその量などに限定されない。各実施の形態の説明において、同一の部品および相当部品に対しては、同一の参照番号を付し、重複する説明は繰り返さない場合がある。
【０００８】
［実施の形態１］
図１は、本実施の形態における発光装置１００を示す平面図である。図１は、発光装置１００の裏面の側（封止部材２４の側）から発光装置１００を見たときの様子を示している。図２は、図１中のＩＩ−ＩＩ線に沿った矢視断面図である。
【０００９】
図１および図２を参照して、発光装置１００は、有機ＥＬ（Organic  Electroluminescence）素子を発光光源として備えており、面方向に沿って延在する平板状の形状を有している。具体的には、発光装置１００は、透明基板１１、発光体２０（図２）、封止部材２４、反射部材３０、および外部配線部材５１，５２（図１）を備える。
【００１０】
透明基板１１は、表面１２（図２）、裏面１３、および４つの端面１４〜１７（図１）を含んでいる。透明基板１１は、たとえば各種のガラス基板から構成される。透明基板１１の外縁（４つの端面）は、全体として矩形状の形状を有している。表面１２および裏面１３は、互いに対向する位置関係を有しており、端面１４〜１７はこれらに対して垂直に形成されている。発光装置１００においては、４つの端面のうち、端面１４内に光出射部１８が形成される（詳細は後述する）。なお、透明基板１１は、樹脂製の部材であってもよく、あるいはフレキシブルに湾曲できる部材であってもよい。
【００１１】
反射部材３０は、透明基板１１の表面１２側に設けられ、表面１２および端面１５〜１７を被覆している。反射部材３０は、たとえばアルミニウム、銀、金、クロム、またはこれらの合金などから構成され、蒸着などによって表面１２および端面１５〜１７を被覆するように形成される。蒸着の際には、端面１４内の光出射部１８が露出するように、所定形状（光出射部１８に対応する形状）を有するマスクが用いられるとよい。
【００１２】
反射部材３０は、蒸着に限られず、酸化チタンや酸化亜鉛などの微細な光反射材を含有するプラスチック製のシート部材を透明基板１１に貼り付けることで構成されてもよい。反射部材３０としては、透明基板１１に接合されていなくてもよい。反射部材３０としての機能は、透明基板１１の周囲に配置された反射性を有する他の部材（構造部材など）によって実現することも可能である。
【００１３】
発光体２０（第１発光体）は、透明基板１１の裏面１３側に設けられる。発光体２０は、透明基板１１の反射部材３０が設けられる側とは反対側に位置している。発光体２０は、透明電極２１（第１透明電極）、発光層２２（第１発光層）、および反射電極２３（第１反射電極）を含む。
【００１４】
透明電極２１、発光層２２、および反射電極２３は、透明基板１１の裏面１３上に順次積層される。透明電極２１は、発光層２２から見て透明基板１１の側に位置している。発光体２０および反射部材３０の透明基板１１上に設ける順序としては、発光体２０が先であってもよいし、反射部材３０が先であってもよい。
【００１５】
透明電極２１は、平面状に広がる形状を有し、透明性を有する導電膜にて形成される。透明電極２１を形成するためには、たとえば、スパッタリング法等によって、ＩＴＯ（Indium  Tin  Oxide：インジウム錫酸化物）等を透明基板１１の裏面１３上に成膜する。フォトリソグラフィ法等によりＩＴＯ膜が所定の形状にパターニングされることによって、透明電極２１が形成される。透明電極２１は、陰極用の電極取出部２６および陽極用の電極取出部２７を形成するために、パターニングによって２つの領域に分割される。
【００１６】
発光層２２は、透明電極２１および反射電極２３の間に設けられる。発光層２２は、透明電極２１および反射電極２３を通して電力を供給されることによって光（可視光）を生成する。発光層２２は、単層の発光層から構成されていてもよく、正孔輸送層、発光層、正孔阻止層、および電子輸送層などが順次積層されることによって構成されていてもよい。
【００１７】
反射電極２３は、たとえばアルミニウム（ＡＬ）にて形成される。反射電極２３は、真空蒸着法等によって発光層２２を覆うように形成される。反射電極２３と透明電極２１とが短絡しないように、反射電極２３と透明電極２１のうちの電極取出部２７側に位置する部分との間には、絶縁層２５が設けられる。
【００１８】
反射電極２３のうちの絶縁層２５が設けられる側とは反対側の部分は、電極取出部２６側の透明電極２１（ＩＴＯ膜）に接続される。電極取出部２６側の透明電極２１（透明電極２１Ａ）は、反射電極２３の一部として機能している。透明電極２１Ａとして設けられている部分は、必ずしもＩＴＯ膜等で形成されている必要はなく、反射電極２３を形成する工程において、反射電極２３の一部として反射電極２３を構成する部材と同じ部材により形成されていてもよい。
【００１９】
封止部材２４は、絶縁性を有する樹脂、またはガラス基板等から構成される。封止部材２４は、接着剤等を用いて発光体２０および透明基板１１に取り付けられる。封止部材２４は、透明電極２１、発光層２２、および反射電極２３の略全体を透明基板１１上に封止し、これらを水分等から保護する。透明電極２１（ＩＴＯ膜）の一部は、電気的な接続のために封止部材２４から露出している。
【００２０】
透明電極２１のうちの封止部材２４から露出している図１，図２における右側の部分は、陰極用の電極取出部２６を構成する。透明電極２１のうちの封止部材２４から露出している図１，図２における左側の部分は、陽極用の電極取出部２７を構成する。電極取出部２６および電極取出部２７は、発光層２２を挟んで相互に反対側に位置している。
【００２１】
陰極用の電極取出部２６上には、導電性ペースト５３を用いて外部配線部材５１が接続される。陽極用の電極取出部２７上には、棒状の形状を有する補助電極４１（給電部材）が設けられる。補助電極４１には、導電性ペースト５４を用いて外部配線部材５２が接続される。補助電極４１は、透明電極２１よりも高い導電性を有する部材により形成され、給電部Ｓ１（詳細は後述する）に電気的に接続される。
【００２２】
補助電極４１は、電極取出部２７側の透明電極２１上の給電部Ｓ１に直接貼り付けられていてもよく、異方性導電フィルム（ＡＣＦ：Anisotropic  Conductive  Film）などを介在させて給電部Ｓ１上に固定されていてもよく、給電部Ｓ１に単に接触しているという構成であってもよい。補助電極４１のそのものが異方性導電フィルムにより構成されていてもよい。
【００２３】
図３を参照して、本実施の形態における透明電極２１は、電極取出部２７の表面上に、給電部Ｓ１を有している。発光層２２を中心として見た場合、給電部Ｓ１は、端面１４が位置している側とは反対側に位置している。上述の通り、端面１４は、光出射部１８（図１，図２参照）が形成される部位である。発光層２２を図１に示すように平面視した場合、発光層２２は、給電部Ｓ１と光出射部１８との間に位置している。
【００２４】
図３は、給電部Ｓ１上に設けられる上記の補助電極４１（図１，図２）を、給電部Ｓ１上から取り除いた状態を示している。給電部Ｓ１は、電極取出部２７の表面のうち、電極取出部２７に給電が行なわれる際にその給電に供される領域である。本実施の形態では、給電部Ｓ１および補助電極４１を平面視した場合（図１参照）、給電部Ｓ１の形状は補助電極４１の形状に略一致している。
【００２５】
図１〜図３を参照して、給電部Ｓ１は、光出射部１８（図１）が延びている方向（図１紙面内における上下方向）に対して略平行な方向に沿って直線状に延びる形状を有している。ここで、給電部Ｓ１が光出射部１８の延びている方向に対して略平行である場合には、給電部Ｓ１が光出射部１８の延びている方向に対して平行である場合、および、給電部Ｓ１が光出射部１８の延びている方向に対して実質的に平行である場合が含まれる。
【００２６】
実質的に平行であるとは、一方が他方に対して平行な状態からたとえば０°より大きく±１５°以下の範囲でずれた状態で延びている場合を含む。好ましくは、給電部Ｓ１は、光出射部１８が延びている方向に対して−１０°以上１０°以下の角度範囲となるように延びているとよい。より好ましくは、給電部Ｓ１は、光出射部１８が延びている方向に対して−５°以上５°以下の角度範囲となるように延びているとよい。最適には、給電部Ｓ１は、光出射部１８が延びている方向に対して平行であるとよい。
【００２７】
本実施の形態においては、光出射部１８および給電部Ｓ１は、いずれも直線状に延びる形状を有している。これに限られず、これらの一方および／または他方がわずかに湾曲するように円弧状に延びているという構成を有していても、この構成は、給電部Ｓ１が光出射部１８が延びている方向と略平行な方向に沿って延びている場合に含まれる。これらの一方および／または他方がその一部にわずかに直線でない部分が含まれるという構成を有していても、この構成は、給電部Ｓ１が光出射部１８が延びている方向と略平行な方向に沿って延びている場合に含まれる。
【００２８】
以上のように構成される発光装置１００においては、透明電極２１の電極取出部２７（陽極側）への給電は、外部配線部材５２、導電性ペースト５４、補助電極４１および給電部Ｓ１を通して行なわれる。電極取出部２６（陰極側）への給電は、外部配線部材５１および導電性ペースト５３を通して行なわれる。発光層２２は、透明電極２１および反射電極２３を通して給電される。発光層２２で生成された光は、透明電極２１を通過して透明基板１１内に入射する。光は、反射部材３０によって反射され、透明基板１１内で反射を繰り返した後、端面１４内の光出射部１８から外部へと取り出される（図１，図２中における白色矢印参照）。
【００２９】
（作用および効果）
透明電極２１のような透明性および導電性の双方を備えた部材は、一般的に高い電気抵抗値を有する。透明電極２１に電圧を印加した際、透明電極２１内には電圧降下が生じる。たとえば、発光層２２に印加される電圧の図１，図２中における左側の電位が高く、同右側に向かうにつれて電位が低くなるという電位分布が形成される。この電位分布に基づいて複数の等電位線を描いた場合、その等電位線は、給電部Ｓ１が延びている方向に対して略平行となるように並んで形成される。
【００３０】
発光層２２で生成される光の輝度分布としては、たとえば図１，図２中における左側の輝度が高く、同右側に向かうにつれて輝度が低くなるという輝度分布が形成される。この輝度分布に基づいて等輝度線を描いた場合、この等輝度線も、給電部Ｓ１が延びている方向に対して略平行となるように並んで形成される。
【００３１】
上述のとおり、反射部材３０は、透明基板１１の表面１２および端面１５〜１７を被覆している。発光層２２で生成された光は、透明基板１１内で反射を繰り返した後、光出射部１８から外部に向かって出射される。給電部Ｓ１が光出射部１８の延在方向（長手方向）に対して略平行であることにより、光出射部１８の延在方向における電位差が生じることが抑制されている。
【００３２】
したがって、光出射部１８から取り出される光は、上記の輝度分布と略同様な分布を有した状態で、光出射部１８から外部に向かって取り出される。光出射部１８の延在方向における輝度差が生じることは抑制されており、発光装置１００は、端面１４の光出射部１８から取り出される光に輝度むらが発生することを効果的に抑制することが可能となっている。
【００３３】
図１〜図３からも読み取れるように、発光装置１００を平面視したとき、本実施の形態の給電部Ｓ１は、透明電極２１の図中の左側の一端辺において光出射部１８に対応する位置または範囲に存在するように形成されている。当該構成は必須のものではないが、当該構成を採用することによって、透明電極２１のうちの光出射部１８に対応する位置または範囲、すなわち光出射部１８が存在している範囲（長さ）内で略均等な給電が行われることが可能となり、その結果、光出射部１８からより一層均等な光が取り出されることが可能となる。
【００３４】
図１〜図３からも読み取れるように、本実施の形態の給電部Ｓ１は、光出射部１８が延びる方向（図１紙面内の上下方向）において、光出射部１８と略等しい長さを有している。ここでいう略等しい長さとは、給電部Ｓ１と光出射部１８とが完全に同一の長さを有している場合に限られない。ここでいう略等しい長さとは、光出射部１８から外部へ取り出される光を視認したときに実質的に輝度ムラが認識されない程度に均一な光を光出射部１８が出射できるに足る長さ関係を、給電部Ｓ１と光出射部１８とが有している場合も含まれる。すなわち、光出射部１８から外部へ取り出される光を視認したときに実質的に輝度ムラが認識されない程度に均一な光を光出射部１８が出射可能であれば、給電部Ｓ１は、光出射部１８よりも長い若しくは短い長さを有していてもよい。また、給電部Ｓ１および／または光出射部１８が湾曲する箇所を含む形状を有している場合であっても、光出射部１８から外部へ取り出される光を視認したときに実質的に輝度ムラが認識されない程度に均一な光を光出射部１８が出射可能なような長さ関係を、給電部Ｓ１と光出射部１８とが有していることが好ましい。これらの構成は必須のものではないが、給電部Ｓ１と光出射部１８との長さが上記のような関係を満足していることによって、光出射部１８からより一層均等な光が取り出されることが可能となる。
【００３５】
図１〜図３からも読み取れるように、本実施の形態では、給電部Ｓ１の延在方向、すなわち光出射部１８が延びる方向に対して略平行な方向（図１紙面内の上下方向）に沿うように補助電極４１が配置されており、さらに、補助電極４１は給電部Ｓ１の略全長に亘って接続されており、補助電極４１は給電部Ｓ１を通して給電を行なう。ここでいう「補助電極４１は給電部Ｓ１の略全長に亘って接続されている」とは、補助電極４１が給電部Ｓ１の一端から給電部Ｓ１の他端までの全ての範囲に亘って接続されている場合に限られない。ここでいう「補助電極４１は給電部Ｓ１の略全長に亘って接続されている」とは、光出射部１８から外部へ取り出される光を視認したときに実質的に輝度ムラが認識されない程度に均一な光を光出射部１８が出射できるに足る範囲に亘って補助電極４１が給電部Ｓ１に接続されている場合も含まれる。すなわち、光出射部１８から外部へ取り出される光を視認したときに実質的に輝度ムラが認識されない程度に均一な光を光出射部１８が出射可能であれば、補助電極４１は、給電部Ｓ１よりも長い若しくは短い長さを有していてもよい。また、給電部Ｓ１および／または光出射部１８が湾曲する箇所を含む形状を有している場合であっても、光出射部１８から外部へ取り出される光を視認したときに実質的に輝度ムラが認識されない程度に均一な光を光出射部１８が出射可能なような範囲に亘って補助電極４１が給電部Ｓ１に接続されていることが好ましい。これらの構成は必須のものではないが、補助電極４１と給電部Ｓ１とが上記のような関係を満足していることによって、光出射部１８からより一層均等な光が取り出されることが可能となる。なお、これらについては後に述べる他の実施の形態においても適用され得るものである。
【００３６】
（比較例）
図４は、比較例における発光装置１００Ｚを示す平面図である。発光装置１００Ｚの反射部材３０は、透明基板１１の表面（発光装置１００の表面１２に対応する面）、端面１４、および端面１６，１７を被覆している。光出射部１８は、端面１５内に形成されている。発光装置１００Ｚの給電部Ｓ１は、発光装置１００の給電部Ｓ１（図３参照）と同様に設けられる。発光装置１００Ｚにおいては、給電部Ｓ１の延在方向および光出射部１８の延在方向が、互いに直交する関係にある。
【００３７】
発光層２２で生成された光の輝度分布としては、上述の実施の形態１の場合と同様に、図４中における左側の輝度が高く、同右側に向かうにつれて輝度が低くなるという輝度分布が形成される。等輝度線は、実施の形態１と同様に、給電部Ｓ１が延びている方向に対して略平行となるように並んで形成される。
【００３８】
給電部Ｓ１が光出射部１８の延在方向（長手方向）に対して直交していることにより、光出射部１８から取り出される光は、上記の輝度分布と略同様な分布を有した状態で、光出射部１８から外部に向かって取り出されることになる。すなわち、光出射部１８のうちの図４中における左側の輝度が高く、同右側に向かうにつれて輝度が低くなるという輝度分布が形成される。比較例の発光装置１００Ｚは、光出射部１８の延在方向における電位差が生じていることに起因して、光出射部１８から取り出される光に輝度むらが発生することを抑制困難な構成を有している。
【００３９】
この比較例に対して実施の形態１の発光装置１００によれば、給電部Ｓ１が光出射部１８の延在方向（長手方向）に対して略平行であることにより、光出射部１８から取り出される光に輝度むらが発生することを効果的に抑制することが可能となっている。
【００４０】
［実施の形態２］
図５および図６を参照して、本実施の形態の発光装置１０１は、実施の形態１の発光装置１００の構成に加えて、制御基板６０（ＰＣＢ：Printed  Circuit  Board）をさらに備えている。制御基板６０は、制御回路６１（図６）と、配線パターン６２（電極部材）とを含んでいる。制御回路６１は、発光装置１０１（発光層２２）の発光を制御する。配線パターン６２は、制御基板６０の表面上に設けられ、制御回路６１に電気的に接続されている。図示上の便宜のため、図５および図６の中の制御基板６０は、配線パターン６２を除いて一点鎖線を用いて図示している。
【００４１】
本実施の形態では、配線パターン６２が、上述の実施の形態１における補助電極４１（図１，図２）の代わりに用いられている。配線パターン６２は、透明電極２１よりも高い導電性を有しており、給電部Ｓ１に電気的に接続された給電部材として機能することができる。配線パターン６２は、透明電極２１上の給電部Ｓ１に直接貼り付けられていてもよく、異方性導電フィルムなどを介在させて給電部Ｓ１上に固定されていてもよく、給電部Ｓ１に単に接触しているという構成であってもよい。
【００４２】
発光装置１０１においては、配線パターン６２が制御基板６０上に設けられ、配線パターン６２が制御基板６０の一部として構成されている。発光装置１０１のような構成であっても、給電部Ｓ１が光出射部１８の延在方向（長手方向）に対して略平行であることにより、光出射部１８の延在方向における電位差が生じることが抑制され、光出射部１８から取り出される光に輝度むらが発生することを効果的に抑制することができる。
【００４３】
配線パターン６２に加えて、実施の形態１における補助電極４１（図１，図２）と同様な棒状の形状を有する補助電極部材がさらに用いられてもよい。この場合、補助電極部材は、給電部Ｓ１と配線パターン６２との間に設けられる。補助電極部材は、透明電極２１上の給電部Ｓ１に直接貼り付けられていてもよく、異方性導電フィルムなどを介在させて給電部Ｓ１上に固定されていてもよく、給電部Ｓ１に単に接触しているという構成であってもよい。補助電極部材のそのものが異方性導電フィルムにより構成されていてもよい。
【００４４】
補助電極部材は、配線パターン６２に直接貼り付けられていてもよく、異方性導電フィルムなどを介在させて配線パターン６２上に固定されていてもよく、配線パターン６２に単に接触しているという構成であってもよい。これらの構成であっても、給電部Ｓ１が光出射部１８の延在方向（長手方向）に対して略平行であることにより、光出射部１８の延在方向における電位差が生じることが抑制され、光出射部１８から取り出される光に輝度むらが発生することを効果的に抑制することができる。
【００４５】
［実施の形態３］
図７を参照して、本実施の形態の発光装置１０２は、実施の形態１の発光装置１００の構成に加えて、導光部材７０をさらに備えている。本実施の形態では、透明基板１１が２層構造を有している。透明基板１１は、透明基材１１Ａとこれに密着するように配置された導光部材７０とを含んでいる。透明基材１１Ａは、上述の実施の形態１における透明基板（透明基板１１）と同様の構成を有する。導光部材７０は、表面７２、裏面７３、および端面７４，７６を有している。反射部材３０は、導光部材７０の端面７４が露出するように透明基板１１（透明基材１１Ａおよび導光部材７０）の外表面を被覆しており、端面７４に光出射部７８が形成されている。
【００４６】
発光装置１０２においても、給電部Ｓ１は、光出射部７８が延びている方向（図７紙面に対して垂直な方向）に対して略平行な方向に沿って直線状に延びる形状を有している。発光層２２で生成された光は、透明基板１１（透明基材１１Ａおよび導光部材７０）内で反射を繰り返した後、光出射部７８から外部に向かって出射される。給電部Ｓ１が光出射部７８の延在方向（長手方向）に対して略平行であることにより、光出射部７８の延在方向における電位差が生じることは抑制されている。発光装置１０２によっても、光出射部７８から取り出される光に輝度むらが発生することを効果的に抑制することができる。
【００４７】
［実施の形態４］
図８および図９を参照して、本実施の形態の発光装置１０３においては、陰極用の電極取出部２６（透明電極２１Ａ）上に、棒状の形状を有する補助電極４２（他の給電部材）が設けられる。上述の通り、透明電極２１Ａ（電極取出部２６側の透明電極２１）は、反射電極２３の一部として機能する部位である。補助電極４２には、導電性ペースト５３を用いて外部配線部材５１が接続される。
【００４８】
補助電極４２は、透明電極２１Ａよりも高い導電性を有する部材により形成され、給電部Ｓ２（詳細は次述する）に電気的に接続される。補助電極４２は、透明電極２１Ａ上の給電部Ｓ２に直接貼り付けられていてもよく、異方性導電フィルムなどを介在させて給電部Ｓ２上に固定されていてもよく、給電部Ｓ２に単に接触しているという構成であってもよい。
【００４９】
透明電極２１Ａは、電極取出部２６の表面上に給電部Ｓ２（他の給電部）を有している。給電部Ｓ２は、電極取出部２６の表面のうち、電極取出部２６に給電が行なわれる際にその給電に供される領域である。本実施の形態では、給電部Ｓ２および補助電極４２を平面視した場合（図８参照）、給電部Ｓ２の形状は補助電極４２の形状に略一致している。給電部Ｓ２は、光出射部１８が延びている方向（図８紙面内における上下方向）に対して略平行な方向に沿って直線状に延びる形状を有している。
【００５０】
透明電極２１Ａを通して反射電極２３に電圧を印加した際、透明電極２１Ａおよび／または反射電極２３内にも電圧降下が生じる。この電圧降下による影響は、仮になんら対策を施していない場合には、わずかではあるものの光出射部１８から取り出される光の中で視認可能な輝度分布となって顕在化することもある。
【００５１】
この電圧降下による影響は、透明電極２１Ａおよび／または反射電極２３の電気抵抗値が高い場合に特に顕在化しやすい。このような現象は、本実施の形態で例示するように透明電極２１Ａを介して反射電極２３に給電する場合に限られず、透明電極２１Ａの代わりに反射電極２３の一部を封止部材２４から露出させて反射電極２３上に電極取出部２７を形成する場合にも同様に生じ得るものである。
【００５２】
透明電極２１Ａおよび／または反射電極２３内で生じた電圧降下の影響により、たとえば発光層２２で生成される光の輝度分布としては、たとえば図８，図９中における左側の輝度が高く、同右側に向かうにつれて輝度が低くなるという輝度分布が形成される。本実施の形態では、給電部Ｓ２が光出射部１８の延在方向（長手方向）に対して略平行である。光出射部１８から取り出される光は、上記の輝度分布と略同様な分布を有した状態で、光出射部１８から外部に向かって取り出されることになる。
【００５３】
本実施の形態の発光装置１０３においては、給電部Ｓ１の光出射部１８に対する配置関係のみならず、給電部Ｓ２の光出射部１８に対する配置関係によっても光出射部１８の延在方向における電位差が生じることが抑制されている。発光装置１０３によれば、端面１４の光出射部１８から取り出された光に輝度むらが発生することをより一層抑制することが可能となっている。
【００５４】
［実施の形態５］
図１０および図１１を参照して、本実施の形態の発光装置１０４においては、端面１４上に反射部材３０が設けられていないことに加えて、端面１４の反対側の端面１６上にも反射部材３０が設けられていない。反射部材３０は、表面１２および端面１５，１７を被覆している。４つの端面のうち、端面１４内に光出射部１８が形成され、端面１４とは反対側に位置する端面１６内に光出射部１９（他の光出射部）が形成される。光出射部１８および光出射部１９は、互いに略平行な方向となるように形成される。
【００５５】
発光層２２で生成された光は、反射部材３０の反射によって透明基板１１内で反射を繰り返した後、光出射部１８，１９から外部に向かってそれぞれ出射される。給電部Ｓ１が光出射部１８，１９の延在方向（長手方向）に対して略平行であることにより、光出射部１８，１９の延在方向における電位差が生じることが抑制され、光出射部１８，１９から取り出される光に輝度むらが発生することを効果的に抑制することができる。
【００５６】
本実施の形態においては、給電部Ｓ２も、光出射部１８，１９の延在方向（長手方向）に対して略平行である。光出射部１８，１９の延在方向における電位差が生じることはさらに抑制され、光出射部１８，１９から取り出される光に輝度むらが発生することをより一層抑制することが可能となっている。
【００５７】
［実施の形態６］
図１２および図１３を参照して、本実施の形態における発光装置１０５について説明する。上述の各実施の形態においては、発光層２２が、電極取出部２７（給電部Ｓ１）と電極取出部２６（給電部Ｓ２）との間に位置している（たとえば図１，図８参照）。発光層２２の両側に、電極取出部２６，２７がそれぞれ設けられている。
【００５８】
発光装置１０５においては、電極取出部２７（給電部Ｓ１）および電極取出部２６（給電部Ｓ２）の双方が、発光層２２から見て端面１６の側に位置している。発光層２２の片側に、電極取出部２６，２７の双方が設けられている。絶縁層２５上には、反射電極２３に導通する導電部材２３Ａが設けられており、導電部材２３Ａ上に陰極用の電極取出部２６が形成されている。
【００５９】
本実施の形態で例示するように、発光層２２の両側に電極取出部２６，２７がそれぞれ設けられているという構成を有していなくてもかまわない。発光層２２の片側に電極取出部２６，２７の双方が設けられている場合であっても、給電部Ｓ１が光出射部１８の延在方向（長手方向）に対して略平行であることにより、光出射部１８の延在方向における電位差が生じることが抑制され、光出射部１８から取り出される光に輝度むらが発生することを効果的に抑制することができる。給電部Ｓ２が光出射部１８の延在方向（長手方向）に対して略平行であることにより、光出射部１８の延在方向における電位差が生じることがさらに抑制され、光出射部１８から取り出される光に輝度むらが発生することをより一層抑制することができる。
【００６０】
［実施の形態７］
図１４および図１５を参照して、本実施の形態の発光装置１０６は、給電部Ｓ１が封止部材２４によって封止されたという構成を有している。透明電極２１のうちの端面１６側の外縁部分に、導電部材４５が接合されている。導電部材４５のうちの端面１６側の部分は、封止部材２４から露出している。導電部材４５上に、陰極用の電極取出部２７が形成されている。本実施の形態の給電部Ｓ１は、導電部材４５と透明電極２１のうちの端面１６側の外縁部分との間に形成される領域（界面）である。
【００６１】
当該構成によっても、給電部Ｓ１が光出射部１８の延在方向（長手方向）に対して略平行であることにより、光出射部１８の延在方向における電位差が生じることが抑制され、光出射部１８から取り出される光に輝度むらが発生することを効果的に抑制することができる。
【００６２】
［実施の形態８］
図１６を参照して、本実施の形態の発光装置１０７について説明する。発光装置１０７は、上述の実施の形態１の発光装置１００における反射部材３０の代わりに、発光体１２０および封止部材１２４を備えている。発光体１２０（第２発光体）は、透明基板１１の表面１２側（透明基板１１の発光体２０が設けられる側とは反対側）に設けられる。
【００６３】
発光体１２０は、透明電極１２１（第２透明電極）、発光層１２２（第２発光層）、および反射電極１２３（第２反射電極）を含む。発光層１２２は、透明電極１２１および反射電極１２３の間に設けられ、透明電極１２１は、発光層１２２から見て透明基板１１の側に位置している。本実施の形態においては、反射電極１２３が、反射部材として機能している。反射電極１２３と透明電極１２１とが短絡しないように、反射電極１２３と透明電極１２１のうちの電極取出部１２７側に位置する部分との間には、絶縁層１２５が設けられる。
【００６４】
反射電極１２３のうちの絶縁層１２５が設けられる側とは反対側の部分は、電極取出部１２６側の透明電極１２１（透明電極１２１Ａ）に接続される。電極取出部２６側の透明電極１２１（透明電極１２１Ａ）は、反射電極１２３の一部として機能している。透明電極１２１Ａとして設けられている部分は、必ずしもＩＴＯ膜等で形成されている必要はなく、反射電極１２３を形成する工程において、反射電極１２３の一部として反射電極１２３を構成する部材と同じ部材により形成されていてもよい。
【００６５】
封止部材１２４は、絶縁性を有する樹脂、またはガラス基板等から構成される。封止部材１２４は、接着剤等を用いて発光体１２０および透明基板１１に取り付けられる。封止部材１２４は、透明電極１２１、発光層１２２、および反射電極１２３の略全体を透明基板１１上に封止し、これらを水分等から保護する。透明電極１２１（ＩＴＯ膜）の一部は、電気的な接続のために封止部材１２４から露出している。
【００６６】
透明電極１２１のうちの封止部材１２４から露出している図１６における右側の部分は、陰極用の電極取出部１２６を構成する。透明電極１２１のうちの封止部材１２４から露出している図１６における左側の部分は、陽極用の電極取出部１２７を構成する。電極取出部１２６および電極取出部１２７は、発光層１２２を挟んで相互に反対側に位置している。
【００６７】
陽極用の電極取出部１２７上には、棒状の形状を有する補助電極１４１（さらに他の給電部材）が設けられる。補助電極１４１には、導電性ペースト等を用いて外部配線部材（図示せず）が接続される。補助電極１４１は、透明電極１２１よりも高い導電性を有する部材により形成され、給電部Ｓ３（第２給電部）に電気的に接続される。給電部Ｓ３は、給電部Ｓ１に対応する部位であり、電極取出部１２７の表面のうち、電極取出部１２７に給電が行なわれる際にその給電に供される領域である。給電部Ｓ３は、光出射部１８が延びている方向（図１６紙面に対して垂直な方向）に対して略平行な方向に沿って直線状に延びる形状を有している。
【００６８】
陰極用の電極取出部１２６上には、棒状の形状を有する補助電極１４２が設けられる。補助電極１４２には、導電性ペースト等を用いて外部配線部材（図示せず）が接続される。補助電極１４２は、透明電極１２１Ａよりも高い導電性を有する部材により形成され、給電部Ｓ４に電気的に接続される。給電部Ｓ４は、給電部Ｓ２に対応する部位であり、電極取出部１２６の表面のうち、電極取出部１２６に給電が行なわれる際にその給電に供される領域である。給電部Ｓ４は、光出射部１８が延びている方向（図１６紙面に対して垂直な方向）に対して略平行な方向に沿って直線状に延びる形状を有している。
【００６９】
以上のように構成される発光装置１０７においては、発光層２２で生成された光は、透明電極２１を通過して透明基板１１内に入射し、発光層１２２で生成された光は、透明電極１２１を通過して透明基板１１内に入射する。光は、反射電極２３および反射電極１２３によって反射され、反射を繰り返した後、端面１４内の光出射部１８および端面１６内の光出射部１９から外部へと取り出される（図１６中における白色矢印参照）。
【００７０】
本実施の形態においては、給電部Ｓ１，Ｓ２，Ｓ３，Ｓ４が光出射部１８，１９の延在方向（長手方向）に対して略平行であることにより、光出射部１８，１９の延在方向における電位差が生じることは抑制されている。発光装置１０７によっても、光出射部１８，１９から取り出される光に輝度むらが発生することを効果的に抑制することができる。発光装置１０７によれば、発光層２２および発光層１２２の双方で光が生成されるため、端面から出射される光の量を増加させることができる。透明基板１１の表面１２および裏面１３側に、異なる色で光を出射する発光層２２，１２２を配置することで、光出射部１８，１９から出射される光の調色を行うことも可能である。
【００７１】
以上説明した発光装置は、端面に光出射部を有する透明基板と、第１透明電極、第１反射電極、およびこれらの間に設けられた第１発光層を含み、上記第１透明電極が上記透明基板の側に位置するように上記透明基板上に設けられた第１発光体と、上記透明基板の上記第１発光体が設けられている側とは反対側に設けられ、上記第１発光体から上記透明基板に入射した光を反射させることによりその光を上記透明基板の上記光出射部から出射させる反射部材と、を備え、上記第１透明電極は、上記光出射部が延びている方向と略平行な方向に沿って延びる第１給電部を含み、上記第１透明電極への給電は、上記第１給電部に電気的に接続され上記第１透明電極よりも高い導電性を有する給電部材から上記第１給電部を通して行われる。
【００７２】
好ましくは、上記第１給電部は、上記光出射部が延びている方向に対して略平行な方向において上記光出射部と略等しい長さを有している。
【００７３】
好ましくは、上記給電部材は、上記光出射部が延びている方向に対して略平行な方向において、上記第１給電部の略全長に亘って給電可能に接続されている。
【００７４】
好ましくは、上記透明基板は、上記光出射部が形成される上記端面とは反対側の端面に、他の光出射部をさらに有し、上記反射部材は、上記第１発光体から上記透明基板に入射した光を反射させることによりその光を上記光出射部および上記他の光出射部から出射させる。
【００７５】
好ましくは、上記透明基板の上記第１発光体が設けられている側とは反対側に設けられた第２発光体をさらに備え、上記第２発光体は、第２透明電極、第２反射電極、およびこれらの間に設けられた第２発光層を含み、上記第２透明電極が上記透明基板の側に位置するように設けられており、上記反射部材は、上記第２発光体の上記第２反射電極である。
【００７６】
好ましくは、制御基板をさらに備え、上記制御基板は、当該発光装置の発光を制御する制御回路と、上記制御基板の表面上に設けられ、上記制御回路に電気的に接続された電極部材と、を含み、上記給電部材は、上記制御基板に設けられた上記電極部材である。
【００７７】
好ましくは、制御基板をさらに備え、上記制御基板は、当該発光装置の発光を制御する制御回路と、上記制御基板の表面上に設けられ、上記制御回路に電気的に接続された電極部材と、を含み、上記給電部材は、上記第１給電部と上記電極部材との間に設けられた補助電極部材である。
【００７８】
好ましくは、上記第１発光層を中心として見た場合、上記第１給電部は、上記光出射部が形成される上記端面の位置とは反対側に位置している。
【００７９】
好ましくは、上記第１反射電極は、上記光出射部が延びている方向と略平行な方向に沿って延びる他の給電部を含み、上記第１反射電極への給電は、上記他の給電部に電気的に接続され上記第１透明電極よりも高い導電性を有する他の給電部材から上記他の給電部を通して行われる。
【００８０】
好ましくは、上記第２透明電極は、上記光出射部が延びている方向と略平行な方向に沿って延びる第２給電部を含み、上記第２透明電極への給電は、上記第２給電部に電気的に接続され上記第２透明電極よりも高い導電性を有するさらに他の給電部材から上記第２給電部を通して行われる。
【００８１】
好ましくは、上記透明基板は、透明基材と上記透明基材に密着するように配置された導光部材とを含む。
【００８２】
上記の各構成によれば、端面から取り出された光に輝度むらが発生することを抑制可能な発光装置を得ることができる。
【００８３】
以上、本発明に基づいた各実施の形態について説明したが、今回開示された各実施の形態はすべての点で例示であって制限的なものではない。本発明の技術的範囲は請求の範囲によって示され、請求の範囲と均等の意味および範囲内でのすべての変更が含まれることが意図される。
【符号の説明】
【００８４】
１８，１９，７８  光出射部、１１  透明基板、１１Ａ  透明基材、１２，７２  表面、１３，７３  裏面、１４，１５，１６，１７，７４，７６  端面、２０，１２０  発光体、２１，２１Ａ，１２１，１２１Ａ  透明電極、２２，１２２  発光層、２３，１２３  反射電極、２３Ａ，４５  導電部材、２４，１２４  封止部材、２５，１２５  絶縁層、２６，２７，１２６，１２７  電極取出部、３０  反射部材、４１，４２，１４１，１４２  補助電極、５１，５２  外部配線部材、５３，５４  導電性ペースト、６０  制御基板、６１  制御回路、６２  配線パターン、７０  導光部材、１００，１００Ｚ，１０１，１０２，１０３，１０４，１０５，１０６，１０７  発光装置、Ｓ１，Ｓ２，Ｓ３，Ｓ４  給電部。
【要約】
発光装置（１００）は、端面（１４）に光出射部（１８）を有する透明基板（１１）と、透明基板（１１）上に設けられた発光体と、透明基板（１１）の発光体が設けられている側とは反対側に設けられ、発光体から透明基板（１１）に入射した光を反射させることによりその光を光出射部（１８）から出射させる反射部材（３０）とを備える。上記発光体は、透明電極、反射電極、およびこれらの間に設けられた発光層を含む。透明電極は、光出射部（１８）が延びている方向と略平行な方向に沿って延びる給電部（Ｓ１）を有する。透明電極への給電は、給電部（Ｓ１）に電気的に接続され透明電極よりも高い導電性を有する給電部材（４１）から給電部（Ｓ１）を通して行われる。端面から取り出された光に輝度むらが発生することは抑制される。【図１】
0005704290.tif 000002
【図２】
0005704290.tif 000003
【図３】
0005704290.tif 000004
【図４】
0005704290.tif 000005
【図５】
0005704290.tif 000006
【図６】
0005704290.tif 000007
【図７】
0005704290.tif 000008
【図８】
0005704290.tif 000009
【図９】
0005704290.tif 000010
【図１０】
0005704290.tif 000011
【図１１】
0005704290.tif 000012
【図１２】
0005704290.tif 000013
【図１３】
0005704290.tif 000014
【図１４】
0005704290.tif 000015
【図１５】
0005704290.tif 000016
【図１６】
0005704290.tif 000017